(57)【要約】【課題】  原稿検知手段として、給紙トレイの上に原稿が載置された場合に当止め部材に当止めされた位置から離れる方向に回動する検出レバーと、この検出レバーの回動を検知する検知センサとを備えた原稿給紙装置において、給紙トレイ上における原稿の有無を適切に検知できるようする。【解決手段】  給紙トレイ11の上に載置された原稿Sの有無を検知する原稿検知手段30として、給紙トレイの上に原稿が載置された場合に当止め部材21aに当止めされた位置から離れる方向に回動する検出レバー31と、この検出レバーの回動を検知する検知センサ32とを備えた原稿給紙装置10において、当止め部材に当止めされた位置から離れる方向に回動された検出レバーが当止め部材に当止めされる位置に戻った場合に、検出レバーを当止め部材との当止め位置に保持させる保持手段40を設けた。【選択図】  図６
2012218938.tif 000002
【特許請求の範囲】
【請求項１】
原稿を載置させる給紙トレイと、この給紙トレイの上に載置された原稿を給紙する給紙手段と、給紙トレイの上に載置された原稿の有無を検知する原稿検知手段とを備えた原稿給紙装置において、上記の原稿検知手段として、給紙トレイの上に原稿が載置された場合に当止め部材に当止めされた位置から離れる方向に回動される検出レバーと、この検出レバーの回動を検知する検知センサとを設けると共に、当止め部材に当止めされた位置から離れる方向に回動された上記の検出レバーが当止め部材に当止めされる位置に戻った場合に、この検出レバーを当止め部材との当止め位置に保持させる保持手段を設けたことを特徴とする原稿給紙装置。
【請求項２】
請求項１に記載の原稿給紙装置において、上記の検出レバーが、給紙トレイの上に載置された原稿に押されて回動されることを特徴とする原稿給紙装置。
【請求項３】
請求項１又は請求項２に記載の原稿給紙装置において、上記の保持手段が、上記の検出レバーを磁力によって当止め部材との当止め位置に保持させることを特徴とする原稿給紙装置。
【請求項４】
請求項３に記載の原稿給紙装置において、上記の保持手段が、磁力のオン・オフの切り換えが可能な電磁石で構成されていることを特徴とする原稿給紙装置。
【請求項５】
請求項１〜請求項４の何れか１項に記載の原稿給紙装置において、給紙トレイの上に載置された原稿が給紙手段によって給紙される迄の段階では、上記の保持手段によって検出レバーを当止め部材との当止め位置に保持させるのを解除することを特徴とする原稿給紙装置。
【発明の詳細な説明】
【技術分野】
【０００１】
本発明は、自動原稿読み取り装置等において、給紙トレイの上に載置された原稿を給紙する原稿給紙装置に関するものである。特に、給紙トレイの上に載置された原稿の有無を検知する原稿検知手段として、給紙トレイの上に原稿が載置された場合に当止め部材に当止めされた位置から離れる方向に回動する検出レバーと、この検出レバーの回動を検知する検知センサとを備えた原稿給紙装置において、給紙トレイの上に載置された原稿が給紙された後、当止め部材に当止めされた位置から離れる方向に回動された上記の検出レバーが当止め部材に当止めされる位置に戻された場合に、この検出レバーが当止め部材と衝突して振動するのを抑制して、上記の検知センサが給紙トレイの上における原稿の有無を誤検知するのを防止するようにした点に特徴を有するものである。
【背景技術】
【０００２】
複写機やファクシミリ等においては、原稿を自動で読み取る自動原稿読み取り装置が多く設けられており、この自動原稿読み取り装置においては、原稿を自動で給紙して読み取るために、給紙トレイの上に載置された原稿を給紙させる原稿給紙装置が用いられている。
【０００３】
ここで、このような原稿給紙装置において、給紙トレイの上に載置された原稿を給紙させるにあたり、給紙トレイの上に原稿が載置されているかを検知するため、特許文献１等に示されるように、給紙トレイの上に載置された原稿に押されて回動する検出レバーと、この検出レバーの回動を検知して給紙トレイの上に載置された原稿を検知するフォトインタラプタ等の検知センサとを設けたものが使用されている。
【０００４】
そして、このような原稿給紙装置においては、給紙トレイの上に原稿が載置され、このように載置された原稿により押されて上記の検出レバーが回動し、これが上記の検知センサにより検知されて、給紙トレイの上に原稿が載置されていることが確認された場合、上記の自動原稿読み取り装置における原稿読み取り指令に基づいて、給紙トレイの上に載置された原稿を給紙ローラ等の給紙手段によって給紙させるようにしている。
【０００５】
ここで、このようにして給紙トレイの上に載置された原稿が全て給紙された場合には、上記のように原稿に押されて回動されていた検出レバーが自重やバネ等の作用により逆方向に回動されて元の位置に戻り、これを上記の検知センサにより検知して、給紙トレイの上における原稿がなくなったことを検知するようにしている。
【０００６】
また、このように原稿に押されて回動されていた検出レバーを自重やバネ等の作用により逆方向に回動させて元の位置に戻す場合、この検出レバーが元の位置において適切に停止されるようにするため、この検出レバーを当止めする当止め部材を設けるようにしている。
【０００７】
しかし、このように検出レバーを当止め部材に当止めさせた場合、当止め部材との衝突によって検出レバーがはね返されて、検出レバーが何度も振動し、これを上記の検知センサが誤って検知して誤動作するという問題があった。
【０００８】
また、給紙トレイの上に原稿が載置されているかを検知するにあたり、長い透過型センサや、反射型センサを用いることも考えられた。
【０００９】
しかし、透過型センサの場合には、薄紙の原稿や、ＯＨＰシートのような透光性の原稿等を適切に検知することができなかったり、また反射型センサの場合には、先端がカールした原稿等を適切に検知することができなかったりするという問題があり、さらにこれらのセンサはコストも高くつくという問題があった。
【先行技術文献】
【特許文献】
【００１０】
【特許文献１】特開２００９−１６１２８１号公報
【発明の開示】
【発明が解決しようとする課題】
【００１１】
本発明は、給紙トレイの上に載置された原稿の有無を検知する原稿検知手段として、給紙トレイの上に原稿が載置された場合に、当止め部材に当止めされて停止した位置から離れる方向に回動する検出レバーと、この検出レバーの回動を検知する検知センサとを設けた原稿給紙装置における上記のような問題を解決することを課題とするものである。
【００１２】
すなわち、本発明においては、上記のような原稿給紙装置において、給紙トレイの上に載置された原稿が給紙された後、当止め部材に当止めされた位置から離れた方向に回動された検出レバーが当止め部材に当止めされる位置に戻された場合に、この検出レバーが当止め部材と衝突して振動するのを抑制して、上記の検知センサによって給紙トレイの上における原稿の有無が誤検知されるのを防止することを課題とするものである。
【課題を解決するための手段】
【００１３】
本発明においては、上記のような課題を解決するため、原稿を載置する給紙トレイと、この給紙トレイの上に載置された原稿を給紙する給紙手段と、給紙トレイの上に載置された原稿の有無を検知する原稿検知手段とを備えた原稿給紙装置において、上記の原稿検知手段として、給紙トレイの上に原稿が載置された場合に当止め部材に当止めされた位置から離れる方向に回動される検出レバーと、この検出レバーの回動を検知する検知センサとを設けると共に、当止め部材に当止めされた位置から離れる方向に回動された上記の検出レバーが当止め部材に当止めされる位置に戻った場合に、この検出レバーを当止め部材との当止め位置に保持させる保持手段を設けた。
【００１４】
このようにすると、当止め部材に当止めされた位置から離れる方向に回動された検出レバーが当止め部材に当止めされる位置に戻った場合に、この検出レバーが上記の保持手段により当止め部材との当止め位置に保持され、この検出レバーが当止め部材との衝突によって振動するのが防止されるようになる。
【００１５】
ここで、給紙トレイの上に原稿が載置された場合に、上記の検出レバーを当止め部材に当止めされた位置から離れる方向に回動させるにあたっては、上記の給紙トレイの給紙方向先端側を下方に傾斜させ、この給紙トレイに載置された原稿に押されて、検出レバーが当止め部材に当止めされた位置から離れる方向に回動されるようにすることができる。
【００１６】
また、上記の保持手段によって検出レバーを当止め部材との当止め位置に保持させるにあたっては、保持手段として磁石などの磁力部材を用い、この磁力部材の磁力によって、検出レバーを当止め部材との当止め位置に保持させるようにすることができる。
【００１７】
また、上記の磁力部材に電磁石を用い、この電磁石をオン・オフさせるようにし、給紙トレイの上に載置された原稿が給紙手段によって給紙される迄の段階において、この電磁石をオフさせて、上記の検出レバーが当止め部材に当止めされた位置で保持手段により保持されるのを解除させるようにすることもできる。
【００１８】
そして、このように給紙トレイの上に載置された原稿が給紙手段によって給紙される迄の段階において、保持手段によって検出レバーが当止め部材に当止めされた位置で保持されるのを解除させると、給紙トレイの上に載置された原稿を給紙手段によって給紙する場合に、給紙手段によって給紙される原稿が検出レバーにより抑止されて原稿に負荷が加わるのが抑制され、給紙時に原稿が歪んで給紙されたりするのが防止される。
【発明の効果】
【００１９】
本発明の原稿給紙装置においては、上記のように当止め部材に当止めされた位置から離れる方向に回動された検出レバーが当止め部材に当止めされる位置に戻った場合に、この検出レバーが保持手段によって当止め部材との当止め位置に保持されるようにしたため、回動された検出レバーが当止め部材と衝突して振動するのが防止され、給紙トレイの上に原稿が載置されていない状態であるにもかかわらず、検出レバーの振動を上記の検知センサが誤って検知して誤動作するのが防止されるようになる。
【図面の簡単な説明】
【００２０】
【図１】本発明の実施形態に係る原稿給紙装置を用いた画像読取装置を、画像形成装置の上部に設けた状態を示した概略斜視図である。
【図２】本発明の実施形態に係る原稿給紙装置において、給紙トレイの上に原稿が載置されていない場合に、検出レバーがピックアップローラの回転軸に当止めされると共に、この検出レバーの検知アーム部がフォトインタラプタを用いた検知センサ内に位置される状態を示した概略断面説明図である。
【図３】上記の実施形態に係る原稿給紙装置において、給紙トレイの上に載置された原稿に押されて検出レバーがピックアップローラの回転軸から離れる方向に回動し、上記の検出アーム部が検知センサの発光部と受光部との間から外れる状態を示した概略断面説明図である。
【図４】上記の実施形態に係る原稿給紙装置において、給紙トレイの上に載置された原稿がピックアップローラによりピックアップされて、一対の給紙ローラ間に導かれる状態を示した概略断面説明図である。
【図５】上記の実施形態に係る原稿給紙装置において、一対の給紙ローラ間に導かれた原稿が、一対の給紙ローラにより給紙されて搬送される状態を示した概略断面説明図である。
【図６】上記の実施形態に係る原稿給紙装置において、給紙トレイの上に載置された原稿がなくなって、ピックアップローラの回転軸から離れる方向に回動された検出レバーが、ピックアップローラの回転軸に当止めされる位置に戻って保持手段に保持される状態を示した概略断面説明図である。
【図７】上記の実施形態の原稿給紙装置において、給紙トレイの上に原稿が載置されていない場合に、上記の検出レバーの検出アーム部がフォトインタラプタを用いた検知センサの発光部と受光部との間に存在している状態を示した部分説明図である。
【図８】検出レバーをピックアップローラの回転軸に当止めされる位置に保持させる保持手段を変更させた他の実施形態に係る原稿給紙装置を示した概略断面説明図である。
【発明を実施するための最良の形態】
【００２１】
次に、本発明の実施形態に係る原稿給紙装置を添付図面に基づいて具体的に説明する。なお、本発明に係る原稿給紙装置は、下記の実施形態に示したものに限定されず、その要旨を変更しない範囲において適宜変更して実施できるものである。
【００２２】
この実施形態においては、図１に示すように、複写機等の画像形成装置１の上部に設けられた自動原稿読み取り装置２において、給紙トレイ１１に載置された原稿Ｓを給紙させるのに使用する原稿給紙装置１０について説明する。
【００２３】
ここで、この原稿給紙装置１０においては、図１に示すように、原稿Ｓが載置される給紙トレイ１１の給紙方向先端側を下方に傾斜するように設けると共に、この給紙トレイ１１の幅方向両側に、この給紙トレイ１１に載置された原稿Ｓをその幅方向において規制する一対の規制ガイド１１ａを設けている。
【００２４】
そして、この実施形態の原稿給紙装置１０においては、図２〜図６に示すように、給紙トレイ１１の上に載置された原稿Ｓを給紙する給紙手段２０として、給紙トレイ１１の上に載置された原稿Ｓに接触させて原稿Ｓをピックアップするピックアップローラ２１と、このピックアップローラ２１によりピックアップされた原稿Ｓを給紙する一対の給紙ローラ２２を設けている。
【００２５】
また、給紙トレイ１１の上に載置された原稿Ｓの有無を検知する原稿検知手段３０として、回動軸３１ａを中心にして回動する作動アーム部３１ｂと検出アーム部３１ｃとで構成された検出レバー３１を用いると共に、この検出レバー３１における検出アーム部３１ｃの回動を検知する検知センサ３２としてフォトインタラプタを用いるようにしている。
【００２６】
そして、上記の検出レバー３１における作動アーム部３１ｂを、給紙トレイ１１の上に載置された原稿Ｓと接触する位置に配置させると共に、給紙トレイ１１の上に原稿Ｓが載置されていない状態においては、図７に示すように、この検出レバー３１における検出アーム部３１ｃを、フォトインタラプタを用いた検知センサ３２の発光部３２ａと受光部３２ｂとの間に位置させ、給紙トレイ１１の上に載置された原稿Ｓにより上記の作動アーム部３１ｂが押されて検出レバー３１が回動した場合には、この検出レバー３１における検出アーム部３１ｃが上記の発光部３２ａと受光部３２ｂとの間から外れるようにし、この検知センサ３２により検出レバー３１の回動を検知して、給紙トレイ１１の上に載置された原稿Ｓの有無を検知するようにしている。
【００２７】
また、給紙トレイ１１の上に原稿Ｓが載置されていない状態において、上記の検出レバー３１を当止めする当止め部材として、この実施形態においては、上記のピックアップローラ２１の回転軸２１ａを利用し、検出レバー３１における作動アーム部３１ｂに設けられた凹部３１ｃがピックアップローラ２１の回転軸２１ａに当止めされるようにしている。
【００２８】
また、このように検出レバー３１の作動アーム部３１ｂに設けられた凹部３１ｃがピックアップローラ２１の回転軸２１ａに当止めされた状態で、この検出レバー３１を保持させる保持手段４０として、この実施形態においては、作動アーム部３１ｂに設けられた凹部３１ｃに磁石４１を設けると共に、上記のピックアップローラ２１の回転軸２１ａを鉄等の磁性材料で構成し、検出レバー３１を当止め部材となるピックアップローラ２１の回転軸２１ａに磁力により保持させるようにしている。
【００２９】
そして、この実施形態の原稿給紙装置１０において、給紙トレイ１１の上に原稿Ｓが載置されていない状態では、図２に示すように、検出レバー３１における作動アーム部３１ｂに設けられた凹部３１ｃがピックアップローラ２１の回転軸２１ａに当止めされ、上記の磁石４１により検出レバー３１が当止めされた位置で保持されると共に、この検出レバー３１における検出アーム部３１ｃが、上記の検知センサ３２の発光部３２ａと受光部３２ｂとの間に位置して、発光部３２ａからの光が受光部３２ｂにおいて受光されなくなり、これによって給紙トレイ１１の上に原稿Ｓが載置されていないことを検知するようにしている。
【００３０】
次いで、給紙方向先端側が下方に傾斜するように設けられた給紙トレイ１１の上に原稿Ｓが載置されると、図３に示すように、載置された原稿Ｓが給紙トレイ１１の給紙方向先端側に移動して、この原稿Ｓにより検出レバー３１における作動アーム部３１ｂが押されて、検出レバー３１がピックアップローラ２１の回転軸２１ａに当止めされた位置から離れる方向に回動し、この検出レバー３１における検出アーム部３１ｃが、検知センサ３２の発光部３２ａと受光部３２ｂとの間から外れ、発光部３２ａからの光が受光部３２ｂにおいて受光されて、給紙トレイ１１の上に原稿Ｓが載置されたことを検知するようにしている。
【００３１】
そして、このように給紙トレイ１１の上に原稿Ｓが載置されたことが検知された状態で、上記の自動原稿読み取り装置２において原稿読み取りの指示が行われると、図４に示すように、上記のピックアップローラ２１を下方に移動させて給紙トレイ１１の上に載置された原稿Ｓに接触させ、このピックアップローラ２１を回転させて、給紙トレイ１１の上に載置された原稿Ｓをピックアップし、このようにピックアップされた原稿Ｓを、ガイド部材（図示せず）を介して一対の給紙ローラ２２間に送るようにする。
【００３２】
また、このようにピックアップされた原稿Ｓを一対の給紙ローラ２２間に送った後は、図５に示すように、上記のピックアップローラ２１を上方に移動させて元の位置に戻すと共に、上記の一対の給紙ローラ２２を回転させて、上記の原稿Ｓをこの一対の給紙ローラ２２により給紙させて、上記の自動原稿読み取り装置２における読取位置に向けて送るようにする。ここで、上記のように給紙トレイ１１の上に載置された原稿Ｓをピックアップし、ピックアップされた原稿Ｓを一対の給紙ローラ２２により給紙させて送るようにした場合、上記の検出レバー３１は、ピックアップローラ２１の回転軸２１ａに当止めされた位置からさらに離れる方向に回動された状態で維持されるようになる。
【００３３】
そして、上記のようにして給紙トレイ１１の上に載置された原稿Ｓを順々に給紙させて搬送し、給紙トレイ１１の上に載置された原稿Ｓがなくなった場合には、図６に示すように、ピックアップローラ２１の回転軸２１ａに当止めされた位置から離れる方向に回動されていた上記の検出レバー３１が自重等によって戻る方向に回動され、この検出レバー３１における作動アーム部３１ｂに設けられた凹部３１ｃがピックアップローラ２１の回転軸２１ａに当止めされるようになる。
【００３４】
この場合、この実施形態においては、上記のように作動アーム部３１ｂに設けられた凹部３１ｃに磁石４１を設けると共に、上記のピックアップローラ２１の回転軸２１ａを鉄等の磁性材料で構成しているため、この検出レバー３１が磁石４１の磁力により当止め部材となるピックアップローラ２１の回転軸２１ａに引き付けられて保持されるようになり、検出レバー３１がピックアップローラ２１の回転軸２１ａと衝突して振動するのが防止され、給紙トレイ１１の上に原稿Ｓが載置されていない状態であるにもかかわらず、検出レバー３１の振動を上記の検知センサ３２が誤って検知して誤動作するのが防止される。
【００３５】
なお、この実施形態においては、検出レバー３１の作動アーム部３１ｂに設けられた凹部３１ｃがピックアップローラ２１の回転軸２１ａに当止めされた状態で、この検出レバー３１を保持させる保持手段４０として、作動アーム部３１ｂに設けられた凹部３１ｃに磁石４１を設けると共に、上記のピックアップローラ２１の回転軸２１ａを鉄等の磁性材料で構成するようにしたが、保持手段４０はこのようなものに限定されない。
【００３６】
例えば、図８の実施形態に示すように、検出レバー３１における作動アーム部３１ｂの先端部に鉄等の磁性材料で構成された磁性部材４２を設けると共に、この磁性部材４２と対向するようにして電磁石４３を設け、この電磁石４３のオン・オフを制御装置５０によって制御させるようにすることができる。
【００３７】
そして、この実施形態のものにおいては、前記の図４に示すように、給紙トレイ１１の上に載置された原稿Ｓをピックアップローラ２１によりピックアップし、このようにピックアップされた原稿Ｓを一対の給紙ローラ２２間に導く段階においては、上記の制御装置５０により電磁石４３をオフさせて、検出レバー３１が電磁石４３により引き付けられてピックアップローラ２１の回転軸２１ａに保持されるのを解除させるようにする。
【００３８】
このようにすると、ピックアップローラ２１によって原稿Ｓをピックアップさせる場合に、検出レバー３１がピックアップされる原稿Ｓに押されて簡単に回動されるようになり、ピックアップされる原稿Ｓに加わる負荷が軽減されて、原稿Ｓが歪んで給紙されたりするのが防止される。
【００３９】
そして、この実施形態のものにおいては、上記の給紙トレイ１１の上に載置された原稿Ｓが給紙されてなくなり、前記の図６に示すように、ピックアップローラ２１の回転軸２１ａに当止めされた位置から離れる方向に回動されていた上記の検出レバー３１が自重等によって戻る方向に回動されて、ピックアップローラ２１の回転軸２１ａに当止めされる段階において、上記の制御装置５０により電磁石４３をオンさせて、作動アーム部３１ｂの先端部に設けられた磁性部材４２をこの電磁石４３の磁力によって引き付けるようにする。
【００４０】
このようにすると、前記の実施形態の場合と同様に、この検出レバー３１が電磁石４３の磁力により当止め部材となるピックアップローラ２１の回転軸２１ａに引き付けられて保持されるようになり、検出レバー３１がピックアップローラ２１の回転軸２１ａと衝突して振動するのが防止され、給紙トレイ１１の上に原稿Ｓが載置されていない状態であるにもかかわらず、検出レバー３１の振動を上記の検知センサ３２が誤って検知して誤動作するのが防止される。
【００４１】
また、上記の各実施形態においては、この検出レバー３１を当止めする当止め部材に、ピックアップローラ２１の回転軸２１ａを利用するようにしたが、別の当止め部材を設けるようにすることもできる。
【符号の説明】
【００４２】
１  画像形成装置
２  自動原稿読み取り装置
１０  原稿給紙装置
１１  給紙トレイ
１１ａ  規制ガイド
２０  給紙手段
２１  ピックアップローラ
２１ａ  回転軸（当止め部材）
２２  給紙ローラ
３０  原稿検知手段
３１  検出レバー
３１ａ  回動軸
３１ｂ  作動アーム部
３１ｃ  検出アーム部
３１ｄ  凹部
３２  検知センサ
３２ａ  発光部
３２ｂ  受光部
４０  保持手段
４１  磁石
４２  磁性部材
４３  電磁石
５０  制御装置
Ｓ  原稿
【図１】
2012218938.tif 000003
【図２】
2012218938.tif 000004
【図３】
2012218938.tif 000005
【図４】
2012218938.tif 000006
【図５】
2012218938.tif 000007
【図６】
2012218938.tif 000008
【図７】
2012218938.tif 000009
【図８】
2012218938.tif 000010